(57)【要約】【課題】発光面をムラなく光らせることが可能な入力装置を提供する。【解決手段】ユーザによる操作を受ける打面ユニット１２と、打面ユニット１２が取り付けられた本体１１とを備えた入力装置１０において、本体１１の外面の一部には、光を透過する発光面１１ａが設けられ、本体１１の内部には、発光面１１ａがある方向とは異なる方向に光を発するようにＬＥＤ２５が設けられ、ＬＥＤ２５の光は発光面１１ａに向かうようにベース部１３の内面及び第１ベース板金２１に反射される。【選択図】図４
2014042747.tif 000002
【特許請求の範囲】
【請求項１】
ユーザによる操作を受ける操作部と、前記操作部が取り付けられた本体と、を備えた入力装置において、
前記本体及び前記操作部の少なくともいずれか一方の外面の一部に、光を透過する発光面が設けられ、
前記本体の内部には、前記発光面がある方向とは異なる方向に光を発する発光手段と、前記発光手段からの光の少なくとも一部が前記発光面に向かうようにその光を反射する反射手段と、が設けられている入力装置。
【請求項２】
前記操作部は、ユーザからの打撃操作を受け、
前記本体の内部には、前記発光手段が取り付けられて前記本体に支持される第１ベース部材と、振動減衰手段を介して前記操作部を支持し、かつ前記第１ベース部材及び前記発光手段と接触しないように前記本体に支持される第２ベース部材と、が設けられている請求項１に記載の入力装置。
【請求項３】
ユーザによる打撃操作を受ける打面を有する打面ユニットと、前記打面が上面の一部となるように前記打面ユニットが取り付けられた本体と、を備えた入力装置において、
前記本体の上面のうち前記打面の周囲には、光を透過する発光面が設けられ、
前記本体の内部には、前記打面の下側に下向きに配置された発光手段と、前記発光手段からの光の少なくとも一部が前記発光面に向かうようにその光を反射する反射手段と、が設けられている入力装置。
【請求項４】
前記本体は、下側ケースと、前記下側ケースの上に組み付けられ、かつ前記発光面を有する上側ケースと、を備え、
前記上側ケースの下端部又は前記下側ケースの上端部のうちの一方には、他方に向かって延びる凸部と、前記凸部の側面から突出する爪部と、が設けられ、
前記上側ケースの下端部又は前記下側ケースの上端部のうちの他方には、前記凸部が嵌め込まれる凹部が設けられ、
前記上側ケースと前記下側ケースとは、前記凸部が前記凹部に嵌め込まれて前記爪部が前記凹部の内面に噛み込むようにして組み合わされている請求項３に記載の入力装置。
【請求項５】
前記下側ケースは、内面が光を反射するように構成されており、
前記反射手段は、前記下側ケースである請求項４に記載の入力装置。
【請求項６】
前記本体の内部には、前記発光手段が取り付けられて前記本体に支持される第１ベース部材と、振動減衰手段を介して前記打面ユニットを支持し、かつ前記第１ベース部材及び前記発光手段と接触しないように前記本体に支持される第２ベース部材と、が設けられている請求項３〜５のいずれか一項に記載の入力装置。
【発明の詳細な説明】
【技術分野】
【０００１】
本発明は、発光手段が内部に設けられた入力装置に関する。
【背景技術】
【０００２】
発光ダイオード（ＬＥＤ）等の発光手段が内部に設けられた入力装置が知られている（例えば、特許文献１〜４参照）。
【先行技術文献】
【特許文献】
【０００３】
【特許文献１】特開２００８−２６４０４７号公報
【特許文献２】特開２００５−２１８８７９号公報
【特許文献３】特開２００５−１１６７２号公報
【特許文献４】特開２００５−３１７０２号公報
【発明の概要】
【発明が解決しようとする課題】
【０００４】
特許文献１の装置では、発光手段が操作ボタンの操作面を裏側から直接照明している。そのため、操作面が発光したときに明るい箇所と暗い箇所とができるおそれがある。
【０００５】
そこで、本発明は、発光面をムラなく光らせることが可能な入力装置を提供することを目的とする。
【課題を解決するための手段】
【０００６】
本発明の第１の入力装置は、ユーザによる操作を受ける操作部（１２）と、前記操作部が取り付けられた本体（１１）と、を備えた入力装置（１０）において、前記本体及び前記操作部の少なくともいずれか一方の外面の一部に、光を透過する発光面（１１ａ）が設けられ、前記本体の内部には、前記発光面がある方向とは異なる方向に光を発する発光手段（２５）と、前記発光手段からの光の少なくとも一部が前記発光面に向かうようにその光を反射する反射手段（１３、２１）と、が設けられていることにより、上述した課題を解決する。
【０００７】
本発明の第１の入力装置によれば、発光手段の光は反射手段で反射して発光面に到達するので、発光面を内側から間接照明によって発光させることができる。そのため、発光面をムラなく光らせることができる。
【０００８】
本発明の第１の入力装置の一形態において、前記操作部は、ユーザからの打撃操作を受け、前記本体の内部には、前記発光手段が取り付けられて前記本体に支持される第１ベース部材（２１）と、振動減衰手段（３６）を介して前記操作部を支持し、かつ前記第１ベース部材及び前記発光手段と接触しないように前記本体に支持される第２ベース部材（２３）と、が設けられていてもよい。この形態によれば、ユーザが操作部を打撃操作しても、その振動が直接発光手段に伝達しない。そのため、発光手段が故障することを抑制できる。
【０００９】
本発明の第２の入力装置は、ユーザによる打撃操作を受ける打面（１０ａ）を有する打面ユニット（１２）と、前記打面が上面の一部となるように前記打面ユニットが取り付けられた本体（１１）と、を備えた入力装置（１０）において、前記本体の上面のうち前記打面の周囲には、光を透過する発光面（１１ａ）が設けられ、前記本体の内部には、前記打面の下側に下向きに配置された発光手段（２５）と、前記発光手段からの光の少なくとも一部が前記発光面に向かうようにその光を反射する反射手段（１３、２１）と、が設けられていることにより、上述した課題を解決する。
【００１０】
本発明の第２の入力装置によれば、第１の入力装置と同様に、発光面を内側から間接照明によって発光させることができる。そのため、発光面をムラなく光らせることができる。
【００１１】
本発明の第２の入力装置の一形態において、前記本体は、下側ケース（１３）と、前記下側ケースの上に組み付けられ、かつ前記発光面を有する上側ケース（１４）と、を備え、前記上側ケースの下端部（１４ａ）又は前記下側ケースの上端部（１３ａ）のうちの一方には、他方に向かって延びる凸部（１８）と、前記凸部の側面から突出する爪部（１８ａ）と、が設けられ、前記上側ケースの下端部又は前記下側ケースの上端部のうちの他方には、前記凸部が嵌め込まれる凹部（１９）が設けられ、前記上側ケースと前記下側ケースとは、前記凸部が前記凹部に嵌め込まれて前記爪部が前記凹部の内面に噛み込むようにして組み合わされていてもよい。この形態によれば、爪部によって上側ケースと下側ケースとを連結して一体化させることができる。そして、これにより上側ケースの剛性を高めることができる。この場合、上側ケースに補強用のリブを設ける必要がない。周知のように発光面にリブがあると発光時にその部分が暗くなる。この形態では、リブが不要になるので、発光面をさらにムラなく光らせることができる。
【００１２】
この形態において、前記下側ケースは、内面が光を反射するように構成されており、前記反射手段は、前記下側ケースであってもよい。この場合、本体内に反射手段を別部品で設ける必要がないため、構造を簡略化できる。
【００１３】
本発明の第２の入力装置の一形態において、前記本体の内部には、前記発光手段が取り付けられて前記本体に支持される第１ベース部材（２１）と、振動減衰手段（３６）を介して前記打面ユニットを支持し、かつ前記第１ベース部材及び前記発光手段と接触しないように前記本体に支持される第２ベース部材（２３）と、が設けられていてもよい。この形態によれば、ユーザが打面を打撃操作しても、その振動が直接発光手段に伝達しない。そのため、発光手段が故障することを抑制できる。
【００１４】
なお、以上の説明では本発明の理解を容易にするために添付図面の参照符号を括弧書きにて付記したが、それにより本発明が図示の形態に限定されるものではない。
【発明の効果】
【００１５】
以上に説明したように、本発明によれば、発光面を内側から間接照明によって発光させることができる。そのため、発光面をムラなく光らせることができる。
【図面の簡単な説明】
【００１６】
【図１】本発明の一形態に係る入力装置が組み込まれたゲーム機の一例を示す図。
【図２】入力装置を拡大して示す図。
【図３】入力装置を上方から見た図。
【図４】図３のIV−IV線における入力装置の断面を示す図。
【図５】図３のV−V線における入力装置の断面を示す図。
【図６】図４のVI−VI線における入力装置の断面を示す図。
【図７】図４のVII−VII線における入力装置の断面を示す図。
【図８】入力装置の分解斜視図。
【図９】分解した入力装置を側方から見た図。
【図１０】図４の範囲Ａの部分を拡大して示す図。
【発明を実施するための形態】
【００１７】
図１は、本発明の一形態に係る入力装置が組み込まれたゲーム機の一例を示している。ゲーム機１は、所定の対価の消費と引き換えに、プレイヤに所定の範囲の音楽ゲームを提供する業務用のゲーム機として構成されている。ゲーム機１は、筐体２と、筐体２に取り付けられる複数（図１では４個）入力装置１０とを備えている。入力装置１０は、打楽器のドラムを模した形状を有している。このゲーム機１では、音楽（楽曲）の再生に合わせてプレイヤに入力装置１０を叩かせ、そのタイミングに応じてプレイヤの操作を評価する音楽ゲームが実行される。筐体２の上部には、モニタ３及びスピーカ４がプレイヤ側を向くように設けられている。モニタ３には、プレイヤに入力装置１０の操作時期を指示するためのオブジェクトが表示される。入力装置１０は、打面１０ａを備えている。プレイヤは、スティック５にて打面１０ａを叩くことによって音楽ゲームをプレイする。
【００１８】
図２〜図１０を参照して入力装置１０を説明する。図２は、入力装置１０を拡大して示している。この図に示すように入力装置１０は、本体１１と、本体１１の上側に取り付けられた打面ユニット１２とを備えている。本体１１の上部には、透光性を有する発光面１１ａが設けられている。発光面１１ａは、打面ユニット１２の周囲に設けられている。打面１０ａは、打面ユニット１２の上面に設けられている。
【００１９】
図３は、入力装置１０を上方から見た図である。また、図４は図３のIV−IV線における入力装置１０の断面を示し、図５は図３のV−V線における入力装置１０の断面を示している。図６は図４のVI−VI線における入力装置１０の断面を示し、図７は図４のVII−VII線における入力装置１０の断面を示している。図８は、入力装置１０の分解斜視図である。図９は、分解した入力装置１０を側方から見た図である。
【００２０】
図４に示すように本体１１は、ベース部１３と、ベース部１３の上に取り付けられたリング状の発光部１４とを備えている。ベース部１３は、ポリカーボネートからなる一体成形部品として形成されている。ベース部１３には、例えば内面で光が反射するように白色のポリカーボネートが用いられる。発光部１４もポリカーボネートからなる一体成形部品として形成されている。ただし、発光部１４には、透光性を有するポリカーボネートが用いられている。発光面１１ａは、発光部１４に設けられている。本体１１は、ベース部１３と発光部１４とが組み合わされることにより形成される。
【００２１】
ベース部１３は、円形の底部１５と、底部１５の外周から外側に膨らみつつ上方に延びる側面１６とを備えている。底部１５の中央には、センサのケーブル等を通すための貫通孔１５ａが設けられている。底部１５の内面には、貫通孔１５ａを中心として同心円状に設けられた複数の第１リブ１５ｂと、貫通孔１５ａから径方向に延びる複数の第２リブ１５ｃとが設けられている。これらのリブ１５ｂ、１５ｃは、底部１５の補強のために設けられている。ベース部１３は、複数（この形態では４本）のボス１７を備えている。ボス１７は、円筒状をしている。ボス１７は、底部１５の内面から上方に延びるように設けられている。ボス１７は、貫通孔１５ａを中心とする同一円周上に等間隔で並ぶように設けられている。ボス１７の上面には、ベース部１３の下側から挿入したボルト（不図示）のネジ部を出すための貫通孔１７ａが設けられている。ボス１７の外周面には、複数（この形態では４個）の補強リブ１７ｂが設けられている。各補強リブ１７ｂは、ボス１７の中心線に沿って設けられている。これらの補強リブ１７ｂはボス１７の外周に等間隔で設けられている。補強リブ１７ｂの高さは、ボス１７の高さの半分程度が設定されている。
【００２２】
図１０は、図４の範囲Ａの部分を拡大して示している。この図に示すようにベース部１３の上端部１３ａの内径と発光部１４の下端部１４ａの内径とは同じである。一方、ベース部１３の上端部１３ａの外径は、発光部１４の下端部１４ａの外径より大きい。ベース部１３の上端部１３ａには、発光部１４が嵌め込まれる段差部１３ｂが全周に亘って設けられている。発光部１４の下端部１４ａには、下方に突出するリング状の凸部１８が設けられている。凸部１８の外径は凸部１８より上の部分の外径と同じである。一方、凸部１８の径方向の厚さは、凸部１８より上の部分の径方向の厚さより小さい。凸部１８の下端付近には、内周側に突出する爪部１８ａが全周に亘って設けられている。段差部１３ｂには、凸部１８が嵌め込まれる凹部１９が設けられている。凹部１９は、凸部１８の全体が凹部１９内に入り込むように設けられている。そのため、この図に示すように発光部１４の下端部１４ａは段差部１３ｂに当たる。凹部１９の径方向の幅には、凸部１８の厚さより若干大きく、かつ凸部１８と爪部１８ａとを合計した厚さよりは若干小さい値が設定されている。そのため、凸部１８が凹部１９に嵌め込まれると爪部１８ａが凹部１９の内面に噛み込む。
【００２３】
発光部１４は、天面１４ｂと、天面１４ｂから外周側に膨らむようにして下方に延びる側面１４ｃとを備えている。天面１４ｂの中央には、打面ユニット１２が嵌め込まれる凹部２０が設けられている。凹部２０は、発光部１４の天面１４ｂから全周に亘って凹んでいる。凹部２０の内径には、打面ユニット１２の外径と同じ値、又はその外径より若干大きい値が設定されている。図４に示すように打面ユニット１２は、凹部２０の底面２０ａに接する。凹部２０は、本体１１に打面ユニット１２を取り付けたときに打面ユニット１２の上部が発光部１４の天面１４ｂよりも上に突出するように設けられている。
【００２４】
図８及び図９に示すように本体１１内には、下側から順に第１ベース板金２１、複数（この形態では４個）のＬＥＤユニット２２、及び第２ベース板金２３が設けられている。第１ベース板金２１は、円板状をしており、その中央にはセンサのケーブル等を通すための中央貫通孔２１ａが設けられている。また、第１ベース板金２１には、ボス１７を通すための貫通孔２１ｂが設けられている。第１ベース板金２１の下面には、複数のボルト２４が設けられている。ベース部１３の底部１５には、ボルト２４が通る貫通孔（不図示）が設けられている。図４に示すようにボルト２４は、第１ベース板金２１が本体１１内に組み込まれた際に底部１５から下方に突出する。このボルト２４は、入力装置１０を筐体２に固定する際に使用される。図６に示すように第１ベース板金２１には、中央貫通孔２１ａを取り囲むように４個のＬＥＤユニット２２が取り付けられている。この図に示すように、ＬＥＤユニット２２はボス１７間にそれぞれ配置される。
【００２５】
入力装置１０は複数のＬＥＤ２５を備えている。ＬＥＤ２５には、例えば複数の色の光を出力可能なものが用いられる。複数のＬＥＤ２５は、４個のＬＥＤユニット２２に分けて配置されている。これにより複数のＬＥＤ２５が複数のセクタに分けて配置される。ＬＥＤユニット２２は、ＬＥＤ２５が取り付けられた保持プレート２６と、保持プレート２６を第１ベース板金２１に固定する固定部材２７とを備えている。図４に示すように固定部材２７は、第１ベース板金２１に取り付けられる板状の固定部２７ａと、固定部２７ａの外周側の端部から上方に延びる板状の支持部２７ｂと、支持部２７ｂの上端から外周側に延びる取付部２７ｃとを備えている。取付部２７ｃの外周端は、円弧を描くように形成されている。図６に示すように４個のＬＥＤユニット２２は、取付部２７ｃの外周端が同一円周上に位置するように第１ベース板金２１に取り付けられる。取付部２７ｃの外周端が位置する円周の直径には、底部１５の直径より若干大きい値が設定される。図４に示すように固定部材２７の高さには、ボス１７の高さよりも若干小さい値が設定される。これにより第２ベース板金２３とＬＥＤユニット２２との接触が防止される。
【００２６】
保持プレート２６は、取付部２７ｃの下面にスリーブ２８を介してボルト２９（図６参照）で取り付けられている。保持プレート２６は取付部２７ｃと同じ形状をしている。そして、保持プレート２６は、入力装置１０を上方から見たときに取付部２７ｃの下に隠れるように形成されている。図４及び図９に示すように複数のＬＥＤ２５は、全て保持プレート２６の一方の面に取り付けられている。そして、保持プレート２６は、複数のＬＥＤ２５が下向きになるように、言い換えると第１ベース板金２１側を向くように取付部２７ｃに取り付けられている。そのため、ＬＥＤ２５は外部から直接見えない。
【００２７】
第２ベース板金２３は、４本のボス１７上に載置される。図４及び図５に示すように第２ベース板金２３の直径には、打面ユニット１２の直径よりも若干大きい値が設定される。これにより発光面１１ａの下方には、第１ベース板金２１まで遮るものが無いリング状の空間Ｓが形成される。図７に示すように第２ベース板金２３には、センサのケーブル等を通すための貫通孔２３ａが設けられている。また、第２ベース板金２３には、発光部１４をボルト３０（図４参照）で取り付けるための複数（この形態で４個）のボス２３ｂが設けられている。第２ベース板金２３には、ボス１７の上面から突出するボルト（不図示）がねじ込まれる雌ネジ部２３ｃが設けられている。第２ベース板金２３の下面の中央には、センサ固定部材３１が取り付けられている。
【００２８】
打面ユニット１２は、発泡ウレタン樹脂製の打面部３２と、打面部３２の下面に取り付けられて打面部３２を支持する金属製の保持部材３３とを備えている。図４に示すように打面部３２が発光部１４の天面１４ｂよりも上に突出し、打面部３２の上面が打面１０ａとなる。保持部材３３は、円板状をしている。保持部材３３の外周は、補強のために全周に亘って下方に折り曲げられている。保持部材３３の下面の中央には、センサ固定部材３４にて振動検出センサ３５（図９参照）が取り付けられている。振動検出センサ３５としては、加速度ピックアップのように振動加速度を電流又は電圧強度に置き換えて出力する各種のセンサを利用することができる。
【００２９】
また、保持部材３３の下面には、複数（この形態では３個）の防振部材３６が取り付けられている。防振部材３６は、半球状の防振ゴム３７と、防振ゴム３７が固定されたベース板３８とを備えている。防振部材３６は、防振ゴム３７が下向きになるようにボルト（不図示）にて保持部材３３に固定される。また、複数の防振部材３６は、振動検出センサ３５を中心とする同一円周上に等間隔で並ぶように配置されている。打面ユニット１２は、これら防振部材３６を介して第２ベース板金２３に支持されている。防振部材３６の高さは、打面ユニット１２を本体１１に取り付けた際にセンサ固定部材３４が第２ベース板金２３に接触しないように設定されている。図７に示すように第２ベース板金２３には、防振ゴム３７の先端が嵌る位置決め孔２３ｄが設けられている。これにより打面ユニット１２が本体１１に対して周方向に移動することが抑制される。
【００３０】
次に入力装置１０の組み立て順序について説明する。この入力装置１０では、まず第１ベース板金２１にＬＥＤユニット２２をボルト３９（図６参照）で固定する。次に、図９に示すように第１ベース板金２１がベース部１３内に載置される。その後、第２ベース板金２３がボス１７にボルト（不図示）で固定される。そして、この状態のベース部１３に発光部１４が嵌め込まれる。また、発光部１４はボルト３１で第２ベース板金２３に固定される。これにより本体１１が組み立てられる。その後、この本体１１に打面ユニット１２が嵌め込まれる。これにより入力装置１０の組み立てが完了する。
【００３１】
なお、ＬＥＤ２５のケーブル及び振動検出センサ３５のケーブルは、貫通孔１５ａ、中央貫通孔２１ａ、及び貫通孔２３ａを介して入力装置１０の外部に引き出され、ゲーム機１の制御ユニット（不図示）に接続される。制御ユニットは、例えば音楽ゲームの進行に応じてＬＥＤ２５を適宜に発光させる。上述したようにＬＥＤ２５は、下向きに設けられている。そのため、ＬＥＤ２５の光は、図４に矢印Ｌで例示したように第１ベース板金２１やベース部１３の内面等で反射して発光面１１ａに到達する。すなわち、この入力装置１０では発光面１１ａが間接照明によって発光する。なお、このように光を反射することによりベース部１３及び第１ベース板金２１が本発明の反射手段として機能する。
【００３２】
上述したように本発明の入力装置１０によれば、ＬＥＤ２５の光が直接発行面１１ａに届かず、発光面１１ａが間接照明によって発光する。また、ＬＥＤ２５の光を装置内で反射させることにより、光源を見えなくできる。そのため、発光面１１ａをムラなく光らせることができる。
【００３３】
また、この入力装置１０では、図１０に示したように発光部１４の爪部１８ａをベース部１３の凹部１９の内面に噛み込ませることにより発光部１４をベース部１３に固定する。このように発光部１４とベース部１３とを連結して一体化させることにより、発光部１４の剛性を高めることができる。そのため、発光部１４に補強用のリブを設ける必要がない。従って、発光面１１ａをさらにムラなく光らせることができる。また、このように爪部１８ａをベース部１３に噛み込ませることにより発光部１４がベース部１３に対して周方向にずれることを防止できる。
【００３４】
入力装置１０では、打面ユニット１２が防振部材２６を介して第２ベース板金２３に支持されている。そのため、打面１０ａの振動が第２ベース板金２３に直接伝達することを防止できる。また、入力装置１０では、図４に示すように打面ユニット１２とＬＥＤユニット２２とが直接接触していない。そのため、プレイヤが打面１０ａを叩いてもその振動がＬＥＤユニット２２に伝わり難い。従って、ＬＥＤ２５の故障を抑制できる。
【００３５】
上述した形態では、打面ユニット１２が本発明の操作部に相当し、ＬＥＤ２５が本発明の発光手段に相当する。ベース部１３が本発明の下側ケースに相当し、発光部１４が本発明の上側ケースに相当する。第１ベース板金２１が本発明の第１ベース部材に相当し、第２ベース板金２３が本発明の第２ベース部材に相当する。防振部材３６が本発明の振動減衰手段に相当する。
【００３６】
本発明は、上述した形態に限定されることなく、種々の形態にて実施することができる。例えば、振動検出センサの位置は、上述した形態で示した位置に限定されない。振動検出センサは、第２ベース板金の下面にセンサ固定部材で取り付けてもよい。本発明の発光手段は、ＬＥＤに限定されない。発光手段には、発光のオンオフや明るさ等を制御可能な周知の種々の発光源を用いてよい。上述した形態では、ベース部及び発光部をポリカーボネートで形成したが、これらは例えばポリプロピレン、ポリエチレン等の他の材料で形成してもよい。また、打面部も発泡ウレタン樹脂に限らず、ゴム、エラストマ、その他の各種の軟質材料で形成してよい。また、透光性を有する材料で打面部を形成し、打面を発光面としてもよい。上述した形態では、ベース部の内面及び第１ベース板金でＬＥＤの光を反射させたが、本体内にベース部とは別にＬＥＤの光を反射する反射部材を設けてもよい。本発明では、ベース部の上端部に凸部を設け、発光部の下端部に凹部を設けてもよい。
【００３７】
本発明が適用される入力装置は、ドラム型の入力装置に限定されない。例えば、本発明は、内部にＬＥＤ等の発光源が設けられた押しボタンスイッチに適用してもよい。
【符号の説明】
【００３８】
１０  入力装置
１０ａ  打面
１１  本体
１１ａ  発光面
１２  打面ユニット（操作部）
１３  ベース部（下側ケース、反射手段）
１３ａ  上端部
１４  発光部（上側ケース）
１４ａ  下端部
１８  凸部
１８ａ  爪部
１９  凹部
２１  第１ベース板金（第１ベース部材、反射手段）
２３  第２ベース板金（第２ベース部材）
２５  ＬＥＤ（発光手段）
３６  防振部材（振動減衰手段）
【図１】
2014042747.tif 000003
【図２】
2014042747.tif 000004
【図３】
2014042747.tif 000005
【図４】
2014042747.tif 000006
【図５】
2014042747.tif 000007
【図６】
2014042747.tif 000008
【図７】
2014042747.tif 000009
【図８】
2014042747.tif 000010
【図９】
2014042747.tif 000011
【図１０】
2014042747.tif 000012